(57)【要約】【課題】  網の張設作業を簡便に行うことができ、施工性に優れた防護柵を提供する。【解決手段】  立木21，21間に合成樹脂製からなる網11を張設する。立木21，21間に支持用横ロープ材22を設け、支持用横ロープ材22に沿って移動可能な吊設部材25により網11を吊設する。立木21，21間に支持用横ロープ材22を設け、吊設部材25により網11を吊り、吊設部材25を支持用横ロープ材22に沿って移動することにより、網11を広げて設置することができる。    【選択図】      図１
2005307572.tif 000002
【特許請求の範囲】
【請求項１】
立木間に合成樹脂製からなる網を張設した防護柵において、前記立木間に支持用横ロープ材を設け、この支持用横ロープ材に前記網を吊設したことを特徴とする防護柵。
【請求項２】
前記支持用横ロープ材に沿って移動可能な吊設部材により前記網を吊設したことを特徴とする請求項１記載の防護柵。
【請求項３】
前記網の上下を前記立木に連結する連結手段を備えることを特徴とする請求項１又は２記載の防護柵。
【請求項４】
前記網の後面と間隔を有する立木と該網とを前記間隔を置いて前記連結手段により連結したことを特徴とする請求項３記載の防護柵。
【請求項５】
前記網を張設した立木より外側の支持体に前記支持用横ロープ材を固定したことを特徴とする請求項１〜４のいずれか１項に記載の防護柵。
【請求項６】
請求項２記載の防護柵の施工方法において、前記立木間に前記支持用横ロープ材を設け、この支持用横ロープ材に前記網を前記吊設部材により吊設した後、該支持用横ロープ材に沿って網を移動して該網を立木間に配置することを特徴とする防護柵の施工方法。
【発明の詳細な説明】
【技術分野】
【０００１】
本発明は、雪、落石、風などを受ける防護柵に係り、特に、立木間に合成樹脂製からなる網を張設した防護柵とその施工方法に関する。
【背景技術】
【０００２】
従来から山腹の斜面部等に構築して落石や積雪等を受け止めて道路等への落下、流入を防止する防護柵が知られており、例えば、山腹の斜面部に間隔を置いて縦孔を穿孔し、この縦孔に建て込んだパイプ支柱を並設すると共に、これら各パイプ支柱に複数段のケーブルとともに金網を張設した落石等の防護柵（例えば特許文献１）が提案され、防護面には金網が用いられている。
【０００３】
また、防護面に用いる網に係り、防護ネットは鋼製又はワイヤー等の剛性線材を並行に取り付けたものや、剛性線材でネット上に編成したもの、複数の水平ロープ材と金網を組み合わせたもの等、公知の各種ネットを含むものである（例えば特許文献２）と記載されている。
【０００４】
上記従来技術のように、この種の網を用いる防護体では、ワイヤーロープや鋼製の網を組み合わせることにより、落石等から道路などを防護するようにしている。
【０００５】
しかし、鋼製のワイヤーロープや網を用いるものでは、部材自身が重量物となるため、据付用の重機が必要となり、施工範囲に制約を受け、工期の長期化し、工費が嵩む問題がある。そして、落石防護のために設けられる防護体は重機の使用に不向きな山の斜面などに設けられることが多いため、このような山の斜面に防護体を設ける施工では、部材が重量物であると、その搬入作業も煩雑となり、施工性に劣る問題がある。
【０００６】
ところで、山間部などにおいて、各種の工事を行う際、工事期間内だけ仮設の防護体を必要とし、工事完了後は防護体を撤去する必要が生じることがある。これに対して、従来防護柵では、落石等を受けて補修が必要になった場合や、耐用年数を過ぎた場合に、網などの補修や交換が行われるものであり、仮設に使用するには不向きである。
【０００７】
そこで、施工性に優れ、工法簡易にして低価格での施工を可能とし、網の交換が容易な網を用いたものとして、網からなる面を備えた防護体において、前記網が合成樹脂からなり、この網を立木間に前記網を固定する固定手段を備えた防護柵（例えば特許文献３）が提案されている。
【特許文献１】特開平７−１９７４２３号公報
【特許文献２】特開２０００−２７３８２７号公報（段落００１１段）
【特許文献３】特開２００３−２６１９１０号公報
【発明の開示】
【発明が解決しようとする課題】
【０００８】
上記合成樹脂からなる網を用いた防護柵では、施工性に優れ、工法簡易にして低価格での施工を可能とし、網の交換が容易となる。
【０００９】
ところで、上記のように自然の立木間に網の両側を連結して設けるものでは、網の中央が撓み易く、取付作業が煩雑になる面がある。また、立木に網を取り付けるための作業員と、網の中央を持ち上げるように支持する作業員といった複数の作業員が必要となり、作業性に劣る面がある。
【００１０】
そこで、本発明は、網の張設作業を簡便に行うことができ、施工性に優れた防護柵とその施工方法を提供することを目的とする。
【課題を解決するための手段】
【００１１】
請求項１の発明は、立木間に合成樹脂製からなる網を張設した防護柵において、前記立木間に支持用横ロープ材を設け、この支持用横ロープ材に前記網を吊設したものである。
【００１２】
また、請求項２の発明は、前記支持用横ロープ材に沿って移動可能な吊設部材により前記網を吊設したものである。
【００１３】
また、請求項３の発明は、前記網の上下を前記立木に連結する連結手段を備えるものである。
【００１４】
また、請求項４の発明は、前記網の後面と間隔を有する立木と該網とを前記間隔を置いて前記連結手段により連結したものである。
【００１５】
また、請求項５の発明は、前記網を張設した立木より外側の支持体に前記支持用横ロープ材を固定したものである。
【００１６】
また、請求項６の発明は、請求項２記載の防護柵の施工方法において、前記立木間に前記支持用横ロープ材を設け、この支持用横ロープ材に前記網を前記吊設部材により吊設した後、該支持用横ロープ材に沿って網を移動して該網を立木間に配置する施工方法である。
【発明の効果】
【００１７】
請求項１の構成によれば、支持用横ロープ材に網を吊設することにより、網の上部側の弛みを防止して網を簡便に設置することができる。
【００１８】
また、請求項２の構成によれば、前記立木間に支持用横ロープ材を設け、吊設部材により網を吊り、吊設部材を支持用横ロープ材に沿って移動することにより、網を広げて設置することができる。
【００１９】
また、請求項３の構成によれば、立木間において、少なくとも網は両側上下の４箇所で立木に連結されるから、落石を受けた場合、網の変形により効率よく衝撃を吸収できる。
【００２０】
また、請求項４の構成によれば、立木と網とが離れていても、網に落石を受けると、網が後退し、離れていた立木に網が沿い、立木間で網が変形して衝撃を吸収する。また、自然に並んだ複数の立木に、支持用横ロープ材をわざわざ沿わせる必要がなく、施工が容易となる。
【００２１】
また、請求項５の構成によれば、支持用横ロープ材を簡便かつ容易に設けることができると共に、網を張った立木には、常時、支持用横ロープ材の張力が加わらないから、落石時に網を有効に支持することができる。
【００２２】
また、請求項６の構成によれば、支持用横ロープを設け、この支持用横ロープに網を吊り、該網を移動して立木間に配置し、各工程を順次別々にできるから、必要最小限の作業人数で作業を行うことができる。
【発明を実施するための最良の形態】
【００２３】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる防護柵を採用することにより、従来にない防護柵が得られ、その防護柵を夫々記述する。
【実施例１】
【００２４】
以下、本発明の防護柵の実施例１について図１〜図９を参照して説明する。同図に示すように、防護柵１は、網11とこの網11を間に設ける複数の立木21とを備え、前記網11により防護面11Ｍを形成している。尚、網11は正面略長方形形状をなす。
【００２５】
図５〜図７に示すように、前記網11は合成樹脂からなる貫通型無結筋網であり、例えば合成樹脂製の繊維糸12，12Ａを複数撚り合わせて線材13，13Ａを形成し、これら線材13，13Ａは交差方向をなし、交差部14により無結筋により相互に固定されている。尚、無結節網にはラッセル式もあるが、好ましくは貫通型を用いる。図５は構造を説明する説明図であり、同図に示すように、線材13，13Ａの交差部14において、一方の線材13の繊維糸12，12の間に隙間により形成する輪部15に、他方の線材13Ａの繊維糸12Ａ，12Ａを前後逆方向から挿通し、さらに、交差部14においても繊維糸12，12Ａを撚って輪部15，15Ａを閉めることにより、両線材13，13Ａを交差部14で固定する。尚、15Ａは交差部14で前記繊維糸12Ａ，12Ａの間に隙間により形成する輪部である。そして、図５は説明のために輪部15，15Ａを開いて図示したが、実際の網11では、前記輪部15，15Ａは閉じられた構造となる。
【００２６】
また、網11は略長方形状をなし、網11の四方の縁にはロープ材16が設けられている。また、図６及び図７に示すように、前記ロープ材16において線材13，13Ａの端部側を折り返し、線材13，13Ａの重複部分18で線材13，13Ａ相互を固定し、表裏の線材13，13Ａの間にロープ材16を配置する。
【００２７】
また、網11に用いる合成樹脂としては、高密度のポリエチレンなどが好適であり、その高密度のポリエチレンを用いた場合、網11の比重は0.94〜0.96である。また、必要に応じて、網11にカーボンブラックや紫外線吸収剤を使用して耐候性を向上することができる。
【００２８】
防護柵１は、山の斜面の立木21，21の間に網11を張設したものであり、複数の立木21，21…がほぼ横方向に並んだ箇所を選定して設けられ、両側の２本の立木21Ａ，21Ａと中間の２〜３本の立木21，21が並んだ箇所が好ましい。
【００２９】
両側の立木21Ａ，21Ａは柱状物の支持体であり、この支持体には立木以外の人工構造物を用いることができるが、それら立木21Ａ，21Ａには、網11の高さにほぼ対応して、支持用横ロープ材22を架設する。この場合、支持用横ロープ材22は、所定の張力を保持した状態で架設することが好ましい。また、支持用横ロープ材22は、ビニールなどの樹脂被覆を施したロープを用いることが立木21Ａを保護する面で好ましく、さらに、立木21Ａには、プロテクトカバーたる保護用帯体23を立木21Ａに巻装し、この保護用帯体23の上に前記支持用横ロープ材22の端部を巻装し、該端部を支持用横ロープ材22に沿わせ、両者を端部固定手段たるワイヤークリップ24により挟着し、これにより立木21Ａに支持用横ロープ材22を固定する。尚、図４の説明側面図では、立木21Ａを上部に図示し、立木21を下部に図示している。
【００３０】
前記支持用横ロープ材22に、複数の吊設部材25により網11を吊設し、この吊設部材25は、前記支持用横ロープ材22に移動可能に掛装する遊転可能な滑車26と、網11の上部のロープ材16に連結する輪体27と、前記滑車26の下フック部26Ａと輪体27とを連結する連結部材たるシャック28とを備え、前記輪体27は可撓性を有し、例えばエンドレスロープなどからなり、輪体27の線材同士を重ねるように伸ばし、一方側の端部27Ａをロープ材16に巻装し、巻装した端部27Ａの輪内に他方側の端部27Ｂを挿通し、この端部27Ｂを前記シャックル28に通してなる。そして、前記網11の上部のロープ材16にほぼ一定間隔で前記吊設部材25を設ける。
【００３１】
また、中間の立木21，21，21において、網11の上下を連結手段たる連結用ベルト31によりそれら立木21，21，21と連結する。図９に示すように、前記連結用ベルト31は、例えば樹脂繊維織物製で、両端に輪部31Ａ，31Ａを有するものであり、その連結用ベルト31を立木21に巻装し、両側の輪部21Ａ，21Ａと網11とを連結部材たるシャックル32により連結する。この場合、図２及び図３に示すように、立木21と支持用横ロープ材22との間に間隔Ｋがある場合、この間隔Ｋを保ったまま支持用ロープ材22が前後方向に曲がらない程度に連結用ベルト31を張った状態で、立木21と網11とを連結する。また、網11の下部は、固定用補助アンカー33により地面に固定する。尚、連結用ベルト31には落石時に受ける引張力に抗する所定の引張応力を有するものを選定する。
【００３２】
尚、網11は１枚の幅が約７メートル程度であり、必要に応じて、図１に示すように、連結部11Ａにより複数の網11を連結して使用し、前記連結部11Ａでは網11の端部のロープ材16，16同士をロープなどにより編み込んで連結する。また、網11の幅方向端部の上部には前記ロープ材16に連結した控えロープ材34が設けられ、この控えロープ材34は網11のロープ材16と同一の合成樹脂材料からなり、その控えロープ材34の端部を前記保護用帯体23の上に巻装して固定する。
【００３３】
次に、前記防護柵１の施工方法につき説明すると、まず、両側の立木21Ａ，21Ａ間に所定の張力で支持用横ロープ材22を設ける。この場合、一方の立木21Ａに支持用横ロープ材22を固定した後、他方の立木21Ａに支持用横ロープ材22を固定すれば、最小限１名での作業が可能である。また、予め支持用横ロープ材22には複数の滑車26を通しておく。そして、網11の幅方向端部側から順次、上部のロープ材16を輪体27とシャックル28により滑車26に連結し、同時に滑車26により網11を支持用横ロープ材22に沿って広げていく。尚、全ての吊設部材25を取り付けた後に、網11を広げるようにしてもよい。このようにして立木21，21，21間に網11を広げたら、それら立木21，21，21に網11の上下を連結用ベルト31により連結する。したがって、支持用横ロープ材22を片側ずつ取り付け、この支持用横ロープ材22に網11を吊設部材25により１箇所ずつ吊設し、吊設部材25を支持用横ロープ材22に沿って移動することにより網11を広げるため、作業を最小必要人数で行うことができる。
【００３４】
このようにして設けた防護柵１において、立木21，21間に落石や雪崩などを受けると、網11が両側の立木21，21の上下の連結用ベルト31，31，31，31を主とした四箇所で拘束された構造であるため、立木21，21間の網11が効率よく変形し、この変形により落石の衝撃力を吸収することができる。また、連結用ベルト31，31，31，31の主として四箇所で拘束された構造を採用するから、落石を受ける前の状態で網11と立木21との間に隙間Ｓがあっても構造上支障がなく、自然に並んだ立木21を有効に利用できる。
【００３５】
このように本実施例では、請求項１に対応して、立木21，21間に合成樹脂製からなる網11を張設した防護柵において、立木21，21間に支持用横ロープ材22を設け、この支持用横ロープ材22に網11を吊設したから、支持用横ロープ材22に網11を吊設することにより、網11の上部側の弛みを防止して網11を簡便に設置することができる。
【００３６】
また、このように本実施例では、請求項２に対応して、支持用横ロープ材22に沿って移動可能な吊設部材25により網11を吊設したから、立木21，21間に支持用横ロープ材22を設け、吊設部材25により網11を吊り、吊設部材25を支持用横ロープ材22に沿って移動することにより、網11を広げて設置することができる。
【００３７】
また、このように本実施例では、請求項３に対応して、網11の上下を立木21に連結する連結手段たる連結用ベルト31を備えるから、立木21，21間において、少なくとも網11は両側上下の４箇所で立木21，21に連結され、落石を受けた場合、網11の変形により効率よく衝撃を吸収できる。
【００３８】
また、このように本実施例では、請求項４に対応して、網11の後面と間隔Ｋを有する立木21と該網11とを間隔Ｋを置いて連結手段たる連結用ベルト31により連結したから、立木21と網11とが離れていても、網11に落石を受けると、網11が後退し、離れていた立木21に網11が沿い、立木21，21間で網11が変形して衝撃を吸収する。また、自然に並んだ複数の立木21に、支持用横ロープ材22をわざわざ沿わせる必要がなく、施工が容易となる。
【００３９】
また、このように本実施例では、請求項５に対応して、網11を張設した立木21より外側の支持体たる立木21Ａに支持用横ロープ材22を固定したから、支持用横ロープ材22を簡便かつ容易に設けることができると共に、網11を張った立木21には、常時、支持用横ロープ材22の張力が加わらないから、落石時に網11を有効に支持することができる。
【００４０】
また、このように本実施例では、請求項６に対応して、請求項２記載の防護柵１の施工方法において、立木21，21間に支持用横ロープ材22を設け、この支持用横ロープ材22に網11を吊設部材25により吊設した後、該支持用横ロープ材22に沿って網11を移動して該網11を立木21，21間に配置するから、各工程を順次別々にでき、必要最小限の作業人数で作業を行うことができる。
【００４１】
また、実施例上の効果として、吊設部材25を網11の四方の枠に位置するロープ材16に連結したから、安定した吊設状態が得られる。また、吊設手段25には連結及び連結解除可能な連結部材たるシャックル28を用いたから、網11を交換が必要な場合も容易に行うことができる。
【実施例２】
【００４２】
図９は本発明の実施例２を示し、上記実施例１と同一部分に同一符号を付し、その詳細な説明を省略して詳述すると、この例では、網11を前後に２枚重ね合わせて立木21，21間に設けており、網11，11による衝撃吸収効果を向上することができる。
【００４３】
以上、本発明の実施例について詳述したが、本発明は、前記実施例に限定されるものではなく、本発明の要旨の範囲内で種々の変形実施が可能である。例えば、支持体は、立木21Ａ以外でも、鋼製支柱など人工構造物であってもよい。また、網を設ける立木の本数も２本以上であれば、適宜選定可能である。さらに、網を３枚以上重ね合わせて使用してもよい。
【図面の簡単な説明】
【００４４】
【図１】本発明の実施例１を示す防護柵の要部の正面図である。
【図２】同上、防護柵の要部の平面図である。
【図３】同上、防護柵の平面図である。
【図４】同上、防護柵の側面説明図である。
【図５】同上、網の構造を説明する正面説明図である。
【図６】同上、網の端部の平面展開図であり、網とロープ材とを示す。
【図７】同上、一部を断面にした網の側面図であり、図７（Ａ）は網の端部側にロープ材を重ねて配置した状態、図７（Ｂ）は網の端部を折り返して重複部分を形成した状態を示す。
【図８】同上、吊設部材周り図面であり、図８（Ａ）は正面図、図８（Ｂ）は側面図である。
【図９】同上、連結手段の正面図である。
【図１０】本発明の実施例２を示す防護柵の側面説明図である。
【符号の説明】
【００４５】
１  防護柵
11  網
21  立木
21Ａ  両側の立木
22  支持用横ロープ材
25  吊設部材
26  滑車
31  連結用ベルト（連結手段）
Ｋ  間隔
【図１】
2005307572.tif 000003
【図２】
2005307572.tif 000004
【図３】
2005307572.tif 000005
【図４】
2005307572.tif 000006
【図５】
2005307572.tif 000007
【図６】
2005307572.tif 000008
【図７】
2005307572.tif 000009
【図８】
2005307572.tif 000010
【図９】
2005307572.tif 000011
【図１０】
2005307572.tif 000012